(57)【要約】【課題】本体筐体に開閉自在に蓋体が支持された電気機器の筐体において、ユーザが蓋体を開けるときに係合突片が蓋保持機構の板ばね部に形成されたバリに接触して異音が発生する等のトラブルを防止する。【解決手段】電気機器の筐体構造は、樹脂製の本体筐体１に対して開閉自在に連結された蓋体を開位置で保持する蓋保持機構を備え、蓋保持機構が、蓋体に一体形成された係合突片と、本体筐体１に形成されたストッパ部７とから構成され、ストッパ部７が、係合突片に係合する係合突出部７ａを有する扁平な板ばね状に形成され、この係合突出部７ａの頂部の幅ｗ１が、係合突片が描く円弧面よりも開口部８側へ延出される。これにより蓋体が開閉動作され係合突片が係合突出部７ａの頂部を通過するときに、係合突片は、係合突出部７ａの頂部の幅ｗ１の内側に当接することになり、係合突出部７ａの幅方向の端縁にバリが存在しても、係合突片はバリに接触することがない。【選択図】図４
2008060399.tif 000002
【特許請求の範囲】
【請求項１】
樹脂製の本体筐体と、
前記本体筐体に対してヒンジ連結部によって開閉自在に支持された蓋体と、
前記ヒンジ連結部の近傍に設けられ前記蓋体を開位置に保持する蓋保持機構と、を備え、
前記蓋保持機構が、
前記蓋体に一体形成され、該蓋体が開閉動作されるときに前記ヒンジ連結部のヒンジ軸に直交する円弧面を描いて回動する係合突片と、
前記本体筐体に形成され、前記蓋体が開閉動作されるときに開位置に回動された前記蓋体の前記係合突片に係合するストッパ部とから構成され、
前記ストッパ部は、前記本体筐体の側面に開けられた開口部に隣接し、前記係合突片の描く前記円弧面の内側に突出するように山形に屈曲された係合突出部と該係合突出部に連接された橋架部とを有する前記ヒンジ連結部のヒンジ軸に平行な方向に扁平な板ばね状に形成され、
前記蓋体が開閉動作されるときに前記係合突片が前記ストッパ部の係合突出部を前記円弧面の外側へ弾性変形させる電気機器の筐体構造において、
前記ストッパ部は、前記係合突出部の頂部の幅が、前記係合突片が描く円弧面よりも前記開口部側へ延出され、前記係合突出部の頂部を除く部分の幅の開口部側端縁が、前記係合突片が描く円弧面と略同一に形成され、
前記蓋体が開閉動作され前記係合突片が前記係合突出部を前記円弧面の外側へ弾性変形させて回動するときに前記係合突片が前記係合突出部の頂部の幅の内側に当接するように構成したことを特徴とする電気機器の筐体構造。
【請求項２】
樹脂製の本体筐体と、
前記本体筐体に対してヒンジ連結部によって開閉自在に支持された蓋体と、
前記ヒンジ連結部の近傍に設けられ前記蓋体を開位置に保持する蓋保持機構と、を備え、
前記蓋保持機構が、
前記蓋体に一体形成され、該蓋体が開閉動作されるときに前記ヒンジ連結部のヒンジ軸に直交する円弧面を描いて回動する係合突片と、
前記本体筐体に形成され、前記蓋体が開閉動作されるときに開位置に回動された前記蓋体の前記係合突片に係合するストッパ部とから構成され、
前記ストッパ部は、前記本体筐体の側面に開けられた開口部に隣接し、前記係合突片の描く前記円弧面の内側に突出するように山形に屈曲された係合突出部と該係合突出部に連接された橋架部とを有する前記ヒンジ連結部のヒンジ軸に平行な方向に扁平な板ばね状に形成され、
前記蓋体が開閉動作されるときに前記係合突片が前記ストッパ部の係合突出部を前記円弧面の外側へ弾性変形させる電気機器の筐体構造において、
前記ストッパ部は、前記係合突出部の幅が、前記係合突片が描く円弧面よりも前記開口部側へ延出され、
前記蓋体が開閉動作され前記係合突片が前記係合突出部を前記円弧面の外側へ弾性変形させて回動するときに前記係合突片が前記係合突出部の幅の内側に当接するように構成したことを特徴とする電気機器の筐体構造。
【請求項３】
前記係合突出部の頂部の幅のみが部分的に前記開口部側へ延出されていることを特徴とする請求項２に記載の電気機器の筐体構造。
【発明の詳細な説明】
【技術分野】
【０００１】
本発明は、プリンタ、コピー機等の電気機器の筐体構造に関する。
【背景技術】
【０００２】
従来から、この種の電気機器の筐体において、樹脂製の本体筐体と、該本体筐体に対してヒンジ連結部によって開閉自在に支持されたフロントカバー（蓋体）とを有する筐体構造が知られている。
【０００３】
上記のような電気機器では、本体の内部で紙詰まり等のトラブルが生じたときに、ユーザが手動でフロントカバーを開けて本体内部を大きく露出させてトラブル処理を行うようになっており、ユーザが両手を使って作業を行えるように、フロントカバーは、種々な構造の蓋保持機構によって開位置で保持されるようになっている。
【０００４】
一方、画像形成装置の内部に備えられた引出しユニットがメンテナンス時に本体から引出された位置で傾動可能に構成され、最も下向きに傾斜された状態でストッパによって停止されるように構成されたものが知られている（例えば、特許文献１参照）。
【０００５】
また、防音カバーのヒンジ部に騒音漏れの原因となる隙間をなくすための弾性シートが貼付されたプリンタカバーが知られている（例えば、特許文献２参照）。
【０００６】
ところで、フロントカバー（蓋体）の蓋保持機構として、フロントカバーに一体形成され、フロントカバーがユーザによって開閉動作されるときにフロントカバーと一体になって回動される係合突片と、本体側の樹脂製筐体に形成され、フロントカバーが開閉動作されるときに開位置に回動された係合突片に係合するストッパ部と、から構成されるものが知られている。
【０００７】
そして、上記蓋保持機構のストッパ部は、回動する係合突片によって当接されて一時的に係合突片の先端が描く円弧から外側に後退され、係合突片が通過した後に前記円弧の内側に復帰する必要があることから、樹脂製筐体の一部が板ばね状に形成されて構成される場合がある。
【０００８】
さらに、上記のように蓋保持機構のストッパ部が板ばね状に形成されて構成される場合は、板ばね状部分の弾性が充分に得られるように、板ばね状部分の側方に開口部が形成され、板ばね状部分は、その両端のみが筐体に連結された形状に形成される。
【０００９】
ところが、上記のように板ばね状部分の側方に開口部が形成される場合は、樹脂製筐体を射出成型によって製造するときに、金型の組合せ及び金型の抜き方向の関係上板ばね状部分の幅方向の端縁にバリが形成され易いという問題がある。図７に樹脂製板ばねＳの端縁に形成されたバリＢａの一例を示す。
【００１０】
上記のようなバリＢａは、板ばね形状の屈曲部に形成され易く、フロントカバーがユーザによって開閉動作されるときに、係合突片がバリＢａに接触して異音が発生したり、係合突片が当接する衝撃によってバリＢａが折れて樹脂製板ばねＳの一部と共に剥落してしまう虞がある。ところが、バリの発生を完全に防止することは、困難である。
【特許文献１】特開２００４−５１３６１号公報
【特許文献２】特開平５−５０７０８号公報
【発明の開示】
【発明が解決しようとする課題】
【００１１】
本発明は、上記問題を解消するものであり、蓋体の蓋保持機構が板ばね状に形成された電気機器の筐体構造において、板ばね状部分の幅方向の端縁にバリが形成されても係合突片が板ばね状部分を乗越えて通過するときに係合突片がバリに接触して異音が発生したり、バリが折れて板ばねの一部が剥落してしまうといったトラブルが生じない電気機器の筐体構造を提供することを目的とする。
【課題を解決するための手段】
【００１２】
上記目的を達成するために、請求項１の発明は、樹脂製の本体筐体と、前記本体筐体に対してヒンジ連結部によって開閉自在に支持された蓋体と、前記ヒンジ連結部の近傍に設けられ前記蓋体を開位置に保持する蓋保持機構と、を備え、前記蓋保持機構が、前記蓋体に一体形成され、該蓋体が開閉動作されるときに前記ヒンジ連結部のヒンジ軸に直交する円弧面を描いて回動する係合突片と、前記本体筐体に形成され、前記蓋体が開閉動作されるときに開位置に回動された前記蓋体の前記係合突片に係合するストッパ部とから構成され、前記ストッパ部は、前記本体筐体の側面に開けられた開口部に隣接し、前記係合突片の描く前記円弧面の内側に突出するように山形に屈曲された係合突出部と該係合突出部に連接された橋架部とを有する前記ヒンジ連結部のヒンジ軸に平行な方向に扁平な板ばね状に形成され、前記蓋体が開閉動作されるときに前記係合突片が前記ストッパ部の係合突出部を前記円弧面の外側へ弾性変形させる電気機器の筐体構造において、前記ストッパ部は、前記係合突出部の頂部の幅が、前記係合突片が描く円弧面よりも前記開口部側へ延出され、前記係合突出部の頂部を除く部分の幅の開口部側端縁が、前記係合突片が描く円弧面と略同一に形成され、前記蓋体が開閉動作され前記係合突片が前記係合突出部を前記円弧面の外側へ弾性変形させて回動するときに前記係合突片が前記係合突出部の頂部の幅の内
側に当接するように構成したことを特徴とする。
【００１３】
請求項２の発明は、樹脂製の本体筐体と、前記本体筐体に対してヒンジ連結部によって開閉自在に支持された蓋体と、前記ヒンジ連結部の近傍に設けられ前記蓋体を開位置に保持する蓋保持機構と、を備え、前記蓋保持機構が、前記蓋体に一体形成され、該蓋体が開閉動作されるときに前記ヒンジ連結部のヒンジ軸に直交する円弧面を描いて回動する係合突片と、前記本体筐体に形成され、前記蓋体が開閉動作されるときに開位置に回動された前記蓋体の前記係合突片に係合するストッパ部とから構成され、前記ストッパ部は、前記本体筐体の側面に開けられた開口部に隣接し、前記係合突片の描く前記円弧面の内側に突出するように山形に屈曲された係合突出部と該係合突出部に連接された橋架部とを有する前記ヒンジ連結部のヒンジ軸に平行な方向に扁平な板ばね状に形成され、前記蓋体が開閉動作されるときに前記係合突片が前記ストッパ部の係合突出部を前記円弧面の外側へ弾性変形させる電気機器の筐体構造において、前記ストッパ部は、前記係合突出部の幅が、前記係合突片が描く円弧面よりも前記開口部側へ延出され、前記蓋体が開閉動作され前記係合突片が前記係合突出部を前記円弧面の外側へ弾性変形させて回動するときに前記係合突片が前記係合突出部の幅の内側に当接するように構成したことを特徴とする。
【００１４】
請求項３の発明は、請求項２の発明において、前記係合突出部の頂部の幅のみが部分的に前記開口部側へ延出されていることを特徴とする。
【発明の効果】
【００１５】
本発明によれば、ストッパ部の係合突出部の幅が、係合突片が描く円弧面よりも開口部側へ延出されるので、板ばね状部分の幅方向の端縁にバリが形成されていても、蓋体がユーザによって開閉動作され係合突片が係合突出部を乗越えて通過するときに係合突片が係合突出部の幅の内側に当接し、係合突片がバリに接触して異音が発生したり、バリが折れて板ばねの一部が剥落してしまうといったトラブルが生じない。
【発明を実施するための最良の形態】
【００１６】
以下、本発明の一実施形態に係る電気機器の筐体構造について、図１乃至図６を参照して説明する。本実施形態に係る電気機器は、レーザプリンタであって、印刷部、定着部、紙送り部等の本体機構を収納する樹脂製の本体筐体１と、本体筐体１に対してヒンジ連結部２によって開閉自在に支持されたフロントカバー（蓋体）３と、ヒンジ連結部２の近傍に設けられフロントカバー３を開位置に保持する蓋保持機構４と、を備える。
【００１７】
フロントカバー３が閉じられた状態（閉位置）が図１（ａ）と図１（ｂ）に示され、フロントカバー３が大きく上方へ開けられた状態（開位置）が図２（ａ）と図２（ｂ）に示される。なお、図１乃至図４において本体筐体１の上部のみが示され、図３と図４においてフロントカバー３が省略されて示されている。また、ヒンジ連結部２は、本体筐体１の側面の上部において側方へ突出されたヒンジ軸５（図３、図４参照）と、フロントカバー３の側面に形成されたヒンジ軸５に嵌合する軸受け凹所（不図示）から構成される。
【００１８】
次に、蓋保持機構４について説明する。蓋保持機構４は、フロントカバー３の基端部に一体形成され、フロントカバー３がユーザによって開閉動作されるときにヒンジ軸５に直交する円弧面Ｄ（図５参照）を描いて回動する係合突片６と、本体筐体１の上部側面に形成され、フロントカバー３がユーザによって開閉動作されるときに開位置に回動された係合突片６に係合するストッパ部７とから構成される。
【００１９】
本体筐体１の上部側面におけるヒンジ軸５の直下方には、図４に示されるように、開口部８が形成され、該開口部８に隣接して側面視が略Ｗ字状のストッパ部７が形成されている。
【００２０】
ストッパ部７は、係合突片６の描く円弧面Ｄの内側に突出するように山形に屈曲された係合突出部７ａ（Ｗ字の中央の屈曲に相当）と、係合突出部７ａに連接された橋架部７ｂ（Ｗ字の両側の屈曲に相当）とを有するヒンジ軸５に平行な方向に扁平な板ばね状に形成されている。
【００２１】
従って、係合突出部７ａは、橋架部７ｂによってのみ本体筐体１に接続されて主に上下方向の弾性を付与されており、図５に示されるように係合突片６が円弧面Ｄを描いて回動するときに、係合突片６の先端６ａが係合突出部７ａの頂部に当接することによって矢印Ｂ方向へ僅かに変形され、係合突片６の先端６ａが係合突出部７ａの頂部を通過することによって矢印Ｂ反対方向へ移動し元の形状に復帰する。
【００２２】
なお、扁平な板ばね状に形成されたストッパ部７の幅ｗと厚さｔは、ユーザがフロントカバー３を回動することによって、係合突片６が係合突出部７ａを上記のように変形させて係合突片６を係合突出部７ａにより係止された位置（開位置）にもたらすときに要する力が適度な大きさになるように設定されている。
【００２３】
つまり、ストッパ部７の幅ｗが過大であったり、厚さｔが過大である場合には、ストッパ部７の剛性が必要以上に高まってユーザがフロントカバー３を回動するときに大きな力を要することになってしまう不具合があり、ストッパ部７の幅ｗと厚さｔは、ユーザがフロントカバー３を開閉操作するときに最も使いやすい感触が得られる値に設定されている。
【００２４】
そして、ストッパ部７の厚さｔは、係合突出部７ａと橋架部７ｂを通じて略同一に形成されているが、ストッパ部７の幅ｗは、特に係合突出部７ａの頂部近傍のみが開口部８方向へ僅かにδｗだけ延出された広い幅ｗ１（ｗ１＝ｗ＋δｗ）に形成されている。
【００２５】
ストッパ部７の係合突出部７ａの形状について、さらに図６を参照して説明する。図６は、図５における係合突片６が係合突出部７ａの頂部に当接している状態を矢印Ｃの方向から見た図である。
【００２６】
係合突出部７ａの開口部８へ臨む側の端縁７ｃは、係合突出部７ａの下部において係合突片６の描く円弧面Ｄの開口部８へ臨む側の端縁Ｄａと略同一に形成されるが、上部においては、頂部に近づくほど開口部８方向へ突出する傾斜面７ｄに形成されている。
【００２７】
そして、傾斜面７ｄが形成されることによって、係合突出部７ａの頂部の幅ｗ１が下部における幅ｗよりもδｗだけ開口部８方向へ延出され、係合突出部７ａの頂部付近にバリＢａが形成されている場合であっても、係合突片６は、係合突出部７ａの頂部の幅ｗ１の内側に当接することになるので、係合突片６は、バリＢａに接触することなく係合突出部７ａを矢印Ｂ方向へ変形させながら通過する。
【００２８】
また、係合突出部７ａの頂部付近を除く部分の端縁７ｃは、係合突片６の描く円弧面Ｄの開口部８へ臨む側の端縁Ｄａと略同一に形成されるので、係合突片６が係合突出部７ａの頂部に当接した状態（図６）において、係合突片６が係合突出部７ａに加える押圧力は、係合突出部７ａを矢印Ｂ方向へ平行移動させる力として働き、係合突出部７ａに捩れを起こさせる力としては働かない。
【００２９】
なお、本体筐体１の上部側面には、固定ストッパ９が設けられ、フロントカバー３が開位置にまで回動されたときに係合突片６の前縁６ｂが固定ストッパ９に当接して開方向の終端が規制される。
【００３０】
以上のように、本実施形態に係るレーザプリンタの筐体構造では、メンテナンス時等においてユーザがフロントカバー３を手動で開方向へ持上げると、フロントカバー３の係合突片６が本体筐体１のストッパ部７の係合突出部７ａを図５における矢印Ｂ方向へ変形させつつ回動する。
【００３１】
そして、係合突片６が係合突出部７ａの頂部を通過した後係合突出部７ａが元の位置に復帰し、係合突片６の後縁６ｃが係合突出部７ａに係止されることによってフロントカバー３が開位置において保持されるのであるが、係合突出部７ａの端縁にバリＢａが形成されていた場合（図６参照）でも、係合突片６がバリＢａに接触して異音が発生するとか、バリＢａが折れてストッパ部７の一部が剥落してしまうといったトラブルが生じない。
【００３２】
また、係合突出部７ａの頂部のみの幅ｗ１が、係合突出部７ａのその他の部分の幅ｗ及び橋架部７ｂの幅ｗに対して僅かに（δｗだけ）大きく形成されるだけであるので、板ばね部の幅が全長に亘って一定幅ｗである場合に比べてストッパ部７全体の弾性が大きく変化してしまうことがなく、ユーザがフロントカバー３を開閉操作するときの感触が変わってしまうということがない。
【００３３】
本発明は、上記実施形態の構成に限られず、種々の変形が可能である。例えば、係合突出部７ａの頂部が開口部８方向へ延出される構成は、係合突出部７ａの端縁７ｃが傾斜面７ｄに形成される以外の種々の形状によっても実現することが可能である。例えば、係合突出部７ａの頂部に開口部８方向へ突出するブロック状部が形成されることによっても可能である。また、ストッパ部７の全体形状は、側面視略Ｗ字状に限られず、例えば、橋架部７ｂが係合突出部７ａに対して水平に接続され側面視が倒立した略Ｖ字状であってもよい。
【図面の簡単な説明】
【００３４】
【図１】（ａ）は、本発明の一実施形態に係るレーザプリンタの筐体であって、フロントカバーが閉じられた状態を示す斜視図、（ｂ）は、同レーザプリンタの筐体であって、フロントカバーが閉じられた状態を示す左側面図。
【図２】（ａ）は、同レーザプリンタの筐体であって、フロントカバーが開けられた状態を示す斜視図、（ｂ）は、同レーザプリンタの筐体であって、フロントカバーが開けられた状態を示す左側面図。
【図３】同レーザプリンタの筐体におけるフロントカバーが取外された状態の本体筐体を示す斜視図。
【図４】図３におけるＡ部の拡大斜視図。
【図５】同レーザプリンタの筐体における蓋保持機構を示す側面図。
【図６】図５におけるＣ方向から見た図。
【図７】樹脂製板ばねに形成されるバリの一例を示す図。
【符号の説明】
【００３５】
１  本体筐体
２  ヒンジ連結部
３  フロントカバー（蓋体）
４  蓋保持機構
５  ヒンジ軸
６  係合突片
７  ストッパ部
７ａ  係合突出部
７ｂ  橋架部
７ｃ  端縁
８  開口部
ｗ  幅（係合突出部の頂部を除く部分の幅）
ｗ１  幅（係合突出部の頂部の幅）
Ｂａ  バリ
Ｄ  円弧面
【図１】
2008060399.tif 000003
【図２】
2008060399.tif 000004
【図３】
2008060399.tif 000005
【図４】
2008060399.tif 000006
【図５】
2008060399.tif 000007
【図６】
2008060399.tif 000008
【図７】
2008060399.tif 000009